(57)【要約】【課題】簡便な構成で固形燃料の燃焼時の熱エネルギーを効率的に利用できる加熱装置を提供すること。【解決手段】加熱装置Ｒ１は、固形燃料８を熱源とする。加熱装置Ｒ１は、ハウジング１１と蓄熱カバー体２１とを備える。ハウジング１１は、固形燃料８を下部側に配置させて、固形燃料８の周囲を覆うように上方へ延びる筒状としている。蓄熱カバー体２１は、金属製として、ハウジング１１内における固形燃料８の燃焼時の火炎Ｆの上方側を囲むように配設されて、天井壁２２と天井壁２２の周縁から下方に延びる筒状の側壁２３とを有して、それぞれ、多数の貫通孔２５を配設させて構成されている。【選択図】図１
0003124081.tif 000002
【実用新案登録請求の範囲】
【請求項１】
固形燃料を熱源とする加熱装置であって、
該固形燃料を下部側に配置させて、前記固形燃料の周囲を覆うように上方へ延びる筒状のハウジングと、
前記ハウジング内における前記固形燃料の燃焼時の火炎の上方側を囲むように配設されて、天井壁と該天井壁の周縁から下方に延びる筒状の側壁とを有して、それぞれ、多数の貫通孔を配設させて構成される金属製の蓄熱カバー体と、
を備えて構成されていることを特徴とする加熱装置。
【請求項２】
ストーブとして構成されていることを特徴とする請求項１に記載の加熱装置。
【請求項３】
前記蓄熱カバー体の上方に、外周縁に複数の貫通孔を備えた金属製の蓋体が、前記ハウジングの上部に、着脱可能に配設されるとともに、
前記蓄熱カバー体と前記蓋体の配設位置との間の前記ハウジングの部位に、内外周を貫通する複数の貫通孔が形成されていることを特徴とする請求項２に記載の加熱装置。
【請求項４】
前記蓄熱カバー体が、前記側壁の下端より上方位置で、かつ、前記天井壁の下方位置に多数の貫通孔を備えて前記天井壁と平行に配設される少なくとも一つの中間横壁を備えて構成されていることを特徴とする請求項３に記載の加熱装置。
【請求項５】
前記ハウジングの下部に、引き出しを出し入れ可能な収納部が配設され、
前記引き出しが、着火時の前記固形燃料を入れた固形燃料缶を載せる底壁部と、前記収納部に収納された際に、前記収納部の開口を塞ぎ可能な縦壁部と、を備えて構成されるとともに、
前記収納部の前記引き出しを収納可能な開口が、燃焼途中での前記固形燃料の消火を可能に、前記固形燃料缶の上面側を塞ぐ消火蓋を差し込み可能な投入口を、前記縦壁部との間に配設させていることを特徴とする請求項４に記載の加熱装置。
【請求項６】
炊飯かまどとして構成されて、
前記ハウジングの上端が、炊飯具を嵌合可能な形状に開口され、
前記ハウジングの上端の開口の周囲に、内外周を貫通する複数の貫通孔が配設されて構成されていることを特徴とする請求項１に記載の加熱装置。
【考案の詳細な説明】
【技術分野】
【０００１】
本考案は、屋外で使用するストーブや災害時等の屋外において食材を調理する炊飯かまどに利用できる固形燃料を使用する加熱装置に関する。
【背景技術】
【０００２】
従来、固形燃料を使用する加熱装置としては、煙突状に上下方向に延びるハウジング内の下部側に固形燃料缶を配置させ、ハウジングの上端に、上下方向に空間を空けて上端の開口を塞ぐように、ハウジングの外径寸法より大きな外形の放熱板を配置させて構成されるストーブがあった（例えば、特許文献１参照）
【特許文献１】実開昭６１−１７５８０１号公報
【考案の開示】
【考案が解決しようとする課題】
【０００３】
しかし、従来のストーブでは、固形燃料の燃焼時、火炎やその燃焼ガスがハウジング内を上昇して、放熱板にあたり、そして、放熱板に案内されるように、放熱板の下面から直ちに放射状に流出していた。
【０００４】
すなわち、従来のストーブ等の固形燃料を使用した加熱装置では、火炎や燃焼ガスが、ハウジング内を上昇して直ちに放熱板から放射状に流出してしまい、効率的に、熱エネルギーを利用できなかった。
【０００５】
本考案は、上述の課題を解決するものであり、簡便な構成で固形燃料の燃焼時の熱エネルギーを効率的に利用できる加熱装置を提供することを目的とする。
【課題を解決するための手段】
【０００６】
本考案に係る加熱装置は、固形燃料を熱源とする加熱装置であって、
固形燃料を下部側に配置させて、固形燃料の周囲を覆うように上方へ延びる筒状のハウジングと、
ハウジング内における固形燃料の燃焼時の火炎の上方側の周囲を囲むように配設されて、天井壁と天井壁の周縁から下方に延びる筒状の側壁とを有して、それぞれ、多数の貫通孔を配設させて構成される金属製の蓄熱カバー体と、
を備えて構成されていることを特徴とする。
【０００７】
本考案に係る加熱装置では、固形燃料の燃焼時、発生する火炎や燃焼ガスが、上昇して蓄熱カバー体の天井壁の下面側に到達する。そして、蓄熱カバー体は、天井壁の周縁から下方に延びる筒状の側壁を備えており、火炎や燃焼ガスが、一旦、天井壁の下方の側壁に囲まれたエリアに留まる状態となり、その後、天井壁や側壁の貫通孔を通過して、周囲に拡散し、ハウジングの上端から排出される。その際、金属製の蓄熱カバー体は、加熱されて輻射熱を発生可能となり、ハウジングの上端付近から放出される火炎や燃焼ガスの熱自体、ハウジング自体の輻射熱の他に、蓄熱カバー体からの輻射熱が、熱エネルギーとして有効利用できる。さらに、蓄熱カバー体が火炎や燃焼ガスを拡散させて均等に周囲に放出させることとなって、ハウジングの上端付近の周壁が均等に加熱されて、ハウジングの輻射熱も周囲にむけて均等に放射可能となって、効率的に加熱できる。
【０００８】
したがって、本考案に係る加熱装置では、金属製の天井壁と筒状の側壁とを備えた蓄熱カバー体を設ける簡便な構成で、固形燃料の燃焼時の熱エネルギーを効率的に利用することができる。
【０００９】
そして、本考案に係る加熱装置を冬季等の屋外（農作業場、漁港、工場、運動場等）でストーブとして利用する場合では、固形燃料や蓄熱カバー体が、周囲をハウジングで覆われる構成であり、強い風が吹いても火の粉が立たず、安全に利用できる。勿論、本考案に係るストーブでは、災害時の屋外使用時でも好適に利用することができる。
【００１０】
また、本考案に係る加熱装置をストーブとして構成する場合には、蓄熱カバー体の上方に、外周縁に複数の貫通孔を備えた金属製の蓋体を、ハウジングの上部に、着脱可能に配設させるとともに、蓄熱カバー体と蓋体の配設位置との間のハウジングの部位に、内外周を貫通する複数の貫通孔を形成してもよい。
【００１１】
このような構成では、蓋体を装着した状態で固形燃料を燃焼させれば、蓄熱カバー体を経て拡散されて上昇してきた火炎や燃焼ガスが、再度、蓋体の下方のエリアで留まる状態となって、蓋体の輻射熱を加熱源として利用でき、一層、熱効率が良好となり、ストーブの周囲で、一層、多くの人が暖を取り易い。また、固形燃料の燃焼時において、大きな火炎が上昇する際にも、蓋体を装着すれば、その火炎を蓋体で抑えることができて、ハウジングの上方に手や物をかざしても、燃え移り難くなる。さらに、蓋体を装着すれば、燃焼空気等は蓋体の下方のハウジングの上端の周壁の貫通孔からハウジングの周囲に放出されることから、ハウジングの周囲のエリアの広い範囲で、暖を取ることができる。
【００１２】
さらに、蓄熱カバー体は、側壁の下端より上方位置で、かつ、天井壁の下方位置に多数の貫通孔を備えて天井壁と平行に配設される少なくとも一つの中間横壁を備えて構成してもよい。このような構成では、蓄熱カバー体が、天井壁の下方の最下段の中間横壁の下面側で火炎等を留め、さらに、上下に二段以上配設される場合には上下の中間横壁の間で挟み込むように火炎等を留め、さらに、最上段の中間横壁と天井壁との間でも挟み込むように火炎等を留めることとなって、一層、迅速な火炎や燃焼ガス等のハウジング外への放出を防止できることとなって、更なる熱効率の向上と火の粉の発散防止とに寄与できる。
【００１３】
また、本考案に係る加熱装置をストーブとして利用する場合には、ハウジングの下部に、引き出しを出し入れ可能な収納部を配設し、引き出しは、着火時の固形燃料を入れた固形燃料缶を載せる底壁部と、収納部に収納された際に、収納部の開口を塞ぎ可能な縦壁部と、を設けて構成し、さらに、収納部の引き出しを収納可能な開口が、燃焼途中での固形燃料の消火を可能に、固形燃料缶の上面側を塞ぐ消火蓋を差し込み可能な投入口を、縦壁部との間に配設することが望ましい。
【００１４】
このように構成すれば、底壁部に固形燃料缶を載せた引き出しをハウジングの収納部から引き出し、そして、固形燃料に着火した後、引き出しをハウジング内に収納させれば、固形燃料缶を直接保持せずに、安全に、固形燃料に着火させてハウジング内に収納させることができる。また、消火時には、投入口から消火蓋を差し込んで固形燃料缶の上面側を塞いで、固形燃料を消火することができ、同様に、消火も安全に行え、さらに、次の必要時に、引き出しを引き出して固形燃料に着火すれば、残った固形燃料を燃焼させて、再度、ストーブとして利用できる。
【００１５】
さらに、本発明に係る加熱装置では、炊飯かまどとして構成してもよく、この場合には、ハウジングの上端を、釜や鍋等の炊飯具を嵌合可能な形状に開口させ、ハウジングの上端の開口の周囲に、内外周を貫通する複数の貫通孔を配設させるように構成すればよい。このような構成では、ハウジングの上端に炊飯具を載せて、ハウジングの下部に配置させた固形燃料を燃焼させれば、火炎や燃焼ガス等が、蓄熱カバー体の貫通孔を経て、炊飯具の底に当たり、そして、ハウジングの貫通孔を経てハウジング外へ放出されて、その火炎や燃焼ガスの直接加熱、あるいは、ハウジングの輻射熱の他に、蓄熱カバー体の輻射熱を、炊飯具の加熱に利用でき、効率的に、炊飯具を加熱できる。さらに、炊飯具の底に当たる火炎や燃焼ガスは、蓄熱カバー体の貫通孔を通過する際、周囲に均等に拡散されて放出されることとなって、部分的に加熱する状態を防止して、炊飯具の底を均等に加熱できて、内部の食材の煮炊きを良好に行える。
【考案を実施するための最良の形態】
【００１６】
以下、本考案の一実施形態を図面に基づいて説明すると、第１実施形態の加熱装置Ｒ１は、図１〜４に示すように、屋外で使用するストーブＭ１であり、このストーブＭ１は、固形燃料缶１、ハウジング１１、蓄熱カバー体２１、蓋体２８、及び、固形燃料缶１を載せる引き出し３２を備えて構成されている。
【００１７】
なお、固形燃料缶１は、板金製として、略正方形の底壁２、底壁２の外周縁から上方へ延びる四角筒形状の周壁３、及び、周壁３の上端側を塞ぐ天井壁４、を備えて構成されて、内部に固形燃料８が充填されている。天井壁４には円形の開口５が設けられ、開口５には、未使用時、キャップ６が嵌め込まれている。図例の固形燃料缶１は、６Ｋｇの固形燃料８を充填させており、キャップ６を外して固形燃料８に着火すれば、４時間程度、固形燃料８が燃焼し続けるタイプとしている。
【００１８】
ハウジング１１は、鋼板等の金属板から四角筒形状に形成した周壁１２を設けて構成されている。ハウジング１１の下部は、引き出し３２を出し入れ可能な収納部１３が配設されている。収納部１３は、略四角形の開口１５と、周壁１２内の下端の左右に配置されて、引き出し３２の左右の下縁を摺動可能に支持する支持枠１４と、を設けて構成されている。周壁１２内の上下方向の中間部位には、上下方向に貫通する略正方形の開口１７ａを中央に配設させた支持枠１７が、配設されている。周壁１２内の上端側には、上下方向に貫通する略正方形の開口１８ａを中央に配設させた支持枠１８が、配設されている。支持枠１７には、蓄熱カバー体２１が支持され、支持枠１８には、蓋体２８が支持されている。
【００１９】
また、ハウジング１１の支持枠１４の近傍の上方には、内外周を貫通して、空気を流入可能な複数の空気取入口１２ｂが、配設されている。さらに、ハウジング１１の上端には、リング状の取手１９が配設されている。さらにまた、ハウジング１１の支持枠１８の直下付近には、内外周を貫通する上下方向に延びるスリット状の複数の貫通孔１２ａが、配設されている。
【００２０】
引き出し３２は、鋼板等の金属板から形成され、固形燃料缶１を載せる底壁部３３と、底壁部３３の前縁側から上方に延びる縦壁部３４と、を備えて構成されていている。底壁部３３の下面側の左右の縁は、支持枠１４に摺動可能に支持されている。縦壁部３４は、引き出し３２が、収納部１３に収納された際に、収納部１３の開口１５を塞ぎ可能な形状としている。但し、収納部１３の開口１５は、縦壁部３４に塞がれる本体開口１５ａの他に、燃焼途中での固形燃料８の消火を可能に、固形燃料缶１の上面１ａ側を塞ぐ消火蓋３６を差し込み可能な投入口１５ｂを、本体開口１５ａの上部側に連続させている。なお、実施形態の場合、縦壁部３４の底壁部３３からの突出高さは、固形燃料缶１の周壁３の高さと略一致、若しくは、周壁３より、若干、低くしている。また、底壁部３３と縦壁部３４との幅寸法は、固形燃料缶１の幅寸法と略一致している。さらに、底壁部３３の正面側には、取手３４ａが形成されている。
【００２１】
消火蓋３６は、図３，４に示すように、鋼板等の金属板からなり、平板状の蓋本体３６ａと、蓋本体３６ａの左右の縁から延びるガイド片３６ｂと、操作時の取手３６ｃと、を設けて構成されている。
【００２２】
蓄熱カバー体２１は、鋼板等の金属板から構成されて、固形燃料８の燃焼時の火炎Ｆの上方側の周囲を囲むように配設されて、略正方形板の天井壁２２と天井壁２２の周縁から下方に延びる四角筒状の側壁２３とを有して構成されている。天井壁２２と側壁２３とには、８φ程度の円形の貫通孔２５が多数配設されている。さらに、実施形態の場合には、側壁２３の下端２３ａより上方位置でかつ天井壁２２の下方位置に（実施形態の場合には、側壁２３の上下方向の中間位置と下段位置とに）、多数の貫通孔２５を備えて天井壁２２と平行に配設される上下二段の中間横壁２４（２４Ｕ、２４Ｄ）が配設されている。天井壁２２は、ハウジング１１の支持枠１７の開口１７ａより大き略正方形板として、側壁２３の下端２３ａは、その全周が、支持枠１７に支持されるように構成されている。また、天井壁２２の上面側中央には、取手２６が配設されている。そして、蓄熱カバー体２１が、支持枠１７上で支持された際、天井壁２２の高さ位置は、ハウジング１１の多数の貫通孔１２ａが配置されている位置としている。
【００２３】
蓋体２８は、外周縁を下方に曲げた略正方形板状として、外周縁には、複数のスリット状の貫通孔２９が配設されている。蓋体２８は、ハウジング１１の支持枠１８の開口１８ａより大き略正方形板として、蓋体２８の外周縁は、その全周が、支持枠１８に支持されるように構成されている。また、蓋体２８の上面側中央には、取手３０が配設されている。この取手３０を把持して蓋体２８を持ち上げれば、蓋体２８をハウジング１１から取り外すことができる。
【００２４】
第１実施形態の加熱装置Ｒ１であるストーブ１０の使用時には、引き出し３２の底壁部３３上にキャップ６を外した固形燃料缶１を載せて、引き出し３２の後部側を収納部１３に収納させ、そして、固形燃料８に着火して、縦壁部３４によって開口１５を塞ぐように、引き出し３２を収納部１３に収納すれば、固形燃料８が火炎Ｆや燃焼ガスＧを出して燃焼し、暖を取ることができる。また、ストーブ１０の使用停止時には、収納部１３の投入口１５ｂから消火蓋３６を差し込んで、図４に示すように、消火蓋３６によって固形燃料缶１の上面１ａ側を塞げば、開口５が塞がれて、固形燃料８への酸素の供給が断たれ、消火される。
【００２５】
そして、第１実施形態の加熱装置Ｒ１としてのストーブ１０では、固形燃料８の燃焼時、図１に示すように、発生する火炎Ｆや燃焼ガスＧが、上昇して蓄熱カバー体２１の天井壁２２の下面側に到達する。そして、蓄熱カバー体２１は、天井壁２２の周縁から下方に延びる四角筒状の側壁２３を備えており、火炎Ｆや燃焼ガスＧが、一旦、天井壁２２の下方の側壁２３に囲まれたエリアＡ０に留まる状態となり、その後、天井壁２２や側壁２３の貫通孔２５を通過して、周囲に拡散し、ハウジング１１の上端から排出される。その際、金属製の蓄熱カバー体２１は、加熱されて輻射熱を発生可能となり、ハウジング１１の上端付近から放出される火炎Ｆや燃焼ガスＧの熱Ｈ自体、ハウジング１１自体の輻射熱の他に、蓄熱カバー体２１からの輻射熱が、熱エネルギーとして有効利用できる。さらに、蓄熱カバー体２１が火炎Ｆや燃焼ガスＧを拡散させて均等に周囲に放出させることとなって、ハウジング１１の上端付近の周壁が均等に加熱されて、ハウジング１１の輻射熱も周囲にむけて均等に放射可能となって、効率的に加熱できる。
【００２６】
したがって、第１実施形態の加熱装置Ｒ１としてのストーブ１０では、金属製の天井壁２２と筒状の側壁２３とを備えた蓄熱カバー体２１を設ける簡便な構成で、固形燃料８の燃焼時の熱エネルギーを効率的に利用することができる。
【００２７】
そして、このストーブ１０では、冬季等の屋外（農作業場、漁港、工場、運動場等）で利用する際、固形燃料８や蓄熱カバー体２１が、周囲をハウジング１１で覆われる構成であり、強い風が吹いても火の粉が立たず、安全に利用できる。勿論、このストーブ１０は、災害時の屋外使用時でも好適に利用することができる。
【００２８】
また、第１実施形態のストーブ１０では、蓄熱カバー体２１の上方に、外周縁に複数の貫通孔２９を備えた金属製の蓋体２８を、ハウジング１１の上部に、着脱可能に配設させるとともに、蓄熱カバー体２１と蓋体２８の配設位置との間のハウジング１１の部位に、内外周を貫通する複数の貫通孔１２ａを形成している。
【００２９】
そのため、蓋体２８を装着した状態で固形燃料８を燃焼させれば、蓄熱カバー体２１を経て拡散されて上昇してきた火炎Ｆや燃焼ガスＧが、再度、蓋体２８の下方のエリアＡ３で留まる状態となって、蓋体２８の輻射熱を加熱源として利用でき、一層、熱効率が良好となり、ストーブ１０の周囲で、一層、多くの人が暖を取り易い。また、固形燃料８の燃焼時において、大きな火炎Ｆが上昇する際にも、蓋体２８を装着すれば、その火炎Ｆを蓋体２８で抑えることができて、ハウジング１１の上方に手や物をかざしても、燃え移り難くなる。さらに、蓋体２８を装着すれば、燃焼空気ＡＧ等は蓋体２８の下方のハウジング１１の上端の周壁の貫通孔１２ａからハウジング１１の周囲に放出されることから、ハウジング１１の周囲のエリアの広い範囲で、暖を取ることができる。
【００３０】
さらに、第１実施形態の蓄熱カバー体２１は、側壁２３の下端２３ａより上方位置で、かつ、天井壁２２の下方位置に多数の貫通孔２５を備えて天井壁２２と平行に配設される二段の中間横壁２４Ｕ，２４Ｄを備えて構成されている。そのため、蓄熱カバー体２１が、天井壁２２の下方の最下段の中間横壁２４Ｄの下面側のエリアＡ２で火炎Ｆ等を留め、さらに、上下の中間横壁２４Ｄ，２４Ｕの間のエリアＡ１で挟み込むように火炎等を留め、さらに、最上段の中間横壁２４Ｕと天井壁２２との間のエリアＡ０でも挟み込むように火炎Ｆ等を留めることとなって、一層、迅速な火炎Ｆや燃焼ガスＧ等のハウジング１１外への放出を防止できることとなって、更なる熱効率の向上と火の粉の発散防止とに寄与できる。
【００３１】
また、第１実施形態のストーブ１０では、ハウジング１１の下部に、引き出し３２を出し入れ可能な収納部１３を配設し、引き出し３２が、着火時の固形燃料８を入れた固形燃料缶１を載せる底壁部３３と、収納部１３に収納された際に、収納部１３の開口１５を塞ぎ可能な縦壁部３４と、を設けて構成され、さらに、収納部１３の引き出し３２を収納可能な開口１５が、燃焼途中での固形燃料８の消火を可能に、固形燃料缶１の上面１ａ側を塞ぐ消火蓋３６を配設可能な投入口１５ｂを、縦壁部３４との間に配設されている。
【００３２】
そのため、底壁部３３に固形燃料缶１を載せた引き出し３２をハウジング１１の収納部１３から引き出し、そして、固形燃料８に着火した後、引き出し３２をハウジング１１内に収納させれば、固形燃料缶１を直接保持せずに、安全に、固形燃料８に着火させてハウジング１１内に収納させることができる。また、消火時には、投入口１５ｂから消火蓋３６を差し込んで固形燃料缶１の上面１ａ側を塞いで、固形燃料８を消火することができ、同様に、消火も安全に行え、さらに、次の必要時に、引き出し３２を引き出して固形燃料８に着火すれば、残った固形燃料８を燃焼させて、再度、ストーブ１０として利用できる。
【００３３】
また、加熱装置Ｒ２としては、図５，６に示すように、災害時等に利用する炊飯かまど４０として構成しても良い。この炊飯かまど４０は、固形燃料缶１、ハウジング４１、及び、蓄熱カバー体５１、を備えて構成されている。
【００３４】
ハウジング４１は、鋼板等の金属板から円筒状に形成した周壁４２を設けて構成されている。ハウジング４１の下部は、固形燃料缶１を出し入れ可能な収納部４３が配設されている。収納部４３は、略四角形の開口４５と、周壁１２内の下端側に配置されて、固形燃料缶１及び蓄熱カバー体５１を支持する支持板４４と、を設けて構成されている。ハウジング４１の上端４１ａは、釜や鍋等の炊飯具６０を嵌合可能な形状に開口させ、上端４１ａの開口４２ｃ付近の周囲には、内外周を貫通する複数の貫通孔４２ａが配設されている。また、支持板４４やその支持板４４付近の周壁４２には、空気取入口４４ａ，４２ｂが配設されている。
【００３５】
蓄熱カバー体５１は、鋼板等の金属板から構成されて、固形燃料８の燃焼時の火炎Ｆの上方側の周囲を囲むように配設されて、略正方形板の天井壁５２、天井壁５２の周縁から下方に延びる四角筒状の側壁５３、及び、天井壁５２の下方で天井壁５２と平行に配置される中間横壁５４を有して構成されている。天井壁５２、側壁５３、及び、中間横壁５４には、８φ程度の円形の貫通孔５５が多数配設されている。さらに、実施形態の場合には、側壁５３の前面側における中間横壁５４の下方には、固形燃料缶１の出し入れを行う開口５３ａが形成されている。
【００３６】
この第２実施形態の炊飯かまど４０では、ハウジング４１の上端に炊飯具６０を載せて、ハウジング４１の下部の支持板４４上における蓄熱カバー体５１に囲まれるように、固形燃料缶１を配置させて、固形燃料８を燃焼させれば、火炎Ｆや燃焼ガスＧ等が、蓄熱カバー体５１の貫通孔５５を経て、炊飯具６０の底に当たり、そして、ハウジング４１の貫通孔４２ａを経てハウジング４１外へ放出されて、その火炎Ｆや燃焼ガスＧの直接加熱、あるいは、ハウジング４１の輻射熱の他に、蓄熱カバー体５１の輻射熱を、炊飯具６０の加熱に利用でき、効率的に、炊飯具６０を加熱できる。さらに、炊飯具６０の底に当たる火炎Ｆや燃焼ガスＧは、蓄熱カバー体５１の貫通孔５５を通過する際、周囲に均等に拡散されて放出されることとなって、部分的に加熱する状態を防止して、炊飯具６０の底を均等に加熱できて、内部の食材の煮炊きを良好に行える。
【００３７】
なお、第２実施形態の炊飯かまど４０では、災害時に使用するものであり、防災備蓄倉庫等で保管されても良く、そのような保管場所には、熱源としてプロパンガスを利用したガスコンロもあり、その場合には、図７に示すように、支持板４４の上にガスコンロ６１を設置して使用してもよい。
【図面の簡単な説明】
【００３８】
【図１】本考案の第１実施形態の加熱装置としてのストーブの使用時における縦断面図である。
【図２】第１実施形態のストーブの分解縦断面図である。
【図３】第１実施形態のストーブの分解斜視図である。
【図４】第１実施形態のストーブの消火時の縦断面図である。
【図５】第２実施形態の加熱装置としての炊飯かまどのハウジングと蓄熱カバー体との斜視図である。
【図６】第２実施形態の炊飯かまどの使用時における縦断面図である。
【図７】第２実施形態の使用時の変形例を示す縦断面図である。
【符号の説明】
【００３９】
１…固形燃料缶、
８…固形燃料、
１０…ストーブ、
１１・４１…ハウジング、
１２ａ・４２ａ…（ハウジングの）貫通孔、
１３…収納部、
１５…開口、
１５ｂ…投入口、
２１・５１…蓄熱カバー体、
２２・５２…天井壁、
２３・５３…側壁、
２５・５５…（蓄熱カバー体の）貫通孔、
２８…蓋体、
２９…（蓋体の）貫通孔、
３２…引き出し、
３３…底壁部、
３４…縦壁部、
３６…消火蓋、
４０…炊飯かまど、
６０…炊飯具、
Ｒ１・Ｒ２…加熱装置。
【図１】
0003124081.tif 000003
【図２】
0003124081.tif 000004
【図３】
0003124081.tif 000005
【図４】
0003124081.tif 000006
【図５】
0003124081.tif 000007
【図６】
0003124081.tif 000008
【図７】
0003124081.tif 000009